(57)【要約】【課題】  従来の課金情報の表示形態を、低年齢の人間や老眼で細かい文字などが見難い人間にとって課金情報を認識し易い新たな表示形態とともに、その表示タイミングを従来のように終話時やキーボードへの使用者の入力に応じて課金情報の表示をさせるといった特定のタイミングではなく、自然に現時点の課金情報を視認できるような表示形態を提供することを目的としている。【解決手段】  発信を契機として通話時間をカウント、又はメールのデータ量をカウントするステップと、通話を終了又はメールの送信終了したことを契機として課金情報の累計を計算した累積課金情報をメモリに格納するステップと、累積課金情報に応じたキャラクタ画像表示データを、予め携帯電話機のメモリ内に記憶した複数のキャラクタ画像表示データから抽出するステップと、抽出したキャラクタ画像表示データを携帯電話機の表示手段に表示するステップとを含むことを特徴とする。【選択図】          図４
2005159761.tif 000002
【特許請求の範囲】
【請求項１】
携帯電話機の電源をオンした状態において、発信を契機として通話時間をカウント、又はメールのデータ量をカウントするステップと、
通話を終了又はメールの送信終了したことを契機として課金情報の累計を計算した累積課金情報をメモリに格納するステップと、
当該累積課金情報に応じたキャラクタ画像表示データを、予め前記携帯電話機のメモリ内に記憶した複数のキャラクタ画像表示データから抽出するステップと、
当該抽出したキャラクタ画像表示データを前記携帯電話機の表示手段に表示するステップとを含むことを特徴とする課金情報表示方法。
【請求項２】
前記キャラクタ画像表示データは、人物又は人物以外の動物などを模した画像表示データであって、
前記累積課金情報に応じたキャラクタ画像表示データは、予め記憶された、複数の前記キャラクタ画像表示データと前記累積課金情報との対応関係を定めたルックアップテーブルデータに基づいて決定され抽出されることを特徴とする請求項１に記載の課金情報表示方法。
【請求項３】
前記複数のキャラクタ画像表示データは、同一の人物又は人物以外の動物などを模した同一の容姿で色の異なるものであることを特徴とする請求項１の課金情報表示方法。
【請求項４】
請求項１乃至３に記載の何れかに記載の課金情報表示方法を実行するためのサーバであって、前記携帯電話機の累積課金情報を記憶するメモリを備え、前記携帯電話機からの通話時間又は発信メールデータ量の受信に応じて前記メモリ内に記憶された累積課金情報を更新して、前記携帯電話機に対して更新された累積課金情報を送信することを特徴とするサーバ。
【請求項５】
携帯電話機から通話時間又はメールのデータ量を受信する送受信部と、
送受信部で受信した通話時間又はメールのデータ量に基づいて、発信先の前記携帯電話機の料金体系に応じた課金演算プログラムを割当てて、当該課金演算プログラムを実行させて累積課金情報を生成する制御手段とを備え、
当該制御手段によって実行された演算結果としての累積課金情報を、前記送受信部を介して前記携帯電話機に送信し、前記携帯電話機の表示部に対して、人物又は人物以外の動物などを模したキャラクタ画像表示に代替して表示させることを特徴とするサーバ。
【請求項６】
発信を契機として通話時間をカウント又はメールのデータ量をカウントする機能と、当該カウントした通話時間又はメールのデータ量を課金演算可能なサーバに送信する機能と、当該サーバから累積課金情報を受信する機能と、受信した累積課金情報に応じたキャラクタ画像表示データを抽出又は生成して表示する機能とを備えたコンピュータで実行可能なプログラム。
【発明の詳細な説明】
【技術分野】
【０００１】
この発明は、近年飛躍的に普及しつつある携帯電話機の使用料金を、当該携帯電話機の表示部に表示する携帯電話機の課金情報表示方法に関する。
【背景技術】
【０００２】
従来の携帯電話機には、キー操作によって予め料金体系を登録しておき、その料金体系（例えば、１分４０円）に応じて発信から終話までの時間経過をタイマーによって計算し、その累積時間を料金体系に基づいて乗じることによって、その一通話での料金や累積的な料金を携帯電話機の表示部に表示する機能を有しているものが存在する。
【０００３】
また、特許文献１には、携帯電話機が終話時に網側から受信する課金情報を利用し、発信先別課金情報表示方法を提供するとの記載がある。この文献で提案しているのは、キャリア側から様々な料金プランが提案されている中で、発信先毎の課金情報が情報提供されていない状況に鑑み、例えば、特に頻繁にかける発信先に対してはキャリアに対して所定の固定費用を支払うことによって大幅な料金割引を受けることができるなどのサービスを選択する指標ともなり得る効果を見出したものである。
【０００４】
そして、この特許文献１に記載のものでは、携帯電話機に対して、基地局と通信する無線通信部、通話するための音声入力部、送受信データを処理すると共に各部を制御する制御部、液晶パネル等の表示部、キーボード等の入力部を備えて構成したものを採用し、制御部はＣＰＵとメモリを含み、カレンダー機能を有している。より具体的には、携帯電話機の電源を入れると、当該携帯電話機の制御部はキーボードからの発信入力を検出して、基地局からの発信許可と通話チャンネルの通知を受けて発信状態となり、発信した相手先の電話番号をメモリに記憶する。網を介して発信相手先に正常に接続されると通話状態に移行する。通話を終了すると、網側より課金情報が携帯電話機に報告されるため、その課金情報をメモリに記憶する。携帯電話機は、発信先電話番号に対する課金情報の累計に網側より報告された課金情報を加えて、新たな累計課金情報を計算し、その結果をメモリに記憶する。そして、記憶した発信先電話番号に対する累積通話料金を携帯電話機の表示部に表示するようにしている。上述した従来のものにおける携帯電話機の表示部への表示形態は、例えば、特許文献１に図示されるように、文字又は数字で表示されるものであった。（図６参照）
【０００５】
【特許文献１】特開２００３−１３４２７２号
【発明の開示】
【発明が解決しようとする課題】
【０００６】
上述した従来のものにおける携帯電話機の表示部への表示形態は、例えば、特許文献１に図示されるように、文字又は数字で表示されるものであったため、その使用者の頭の中でロジカルに思考しなければ、特に累積金額については、目標としている金額より多いのか少ないのかが判断し難いといった問題があった。
【０００７】
特に、近年、携帯電話機の普及によって、その携帯電話機の普及先が低年齢化しており、小学生などにも普及しつつある。これは、携帯電話機にＧＰＳ機能が搭載され、親が子供の居場所がインターネット網を通じて携帯電話機やパソコンなどで確認することができる機能を有するようになったことや、公衆電話が撤去され緊急連絡のために主に受信用として持たせていることが多くなったためと本発明者は分析する。将来的には、幼稚園児までこの携帯電話機が普及する可能性があり、このような低年齢の人間にとっては、図６に示すような料金を文字や数字で示しても理解できるかどうかが疑問であり、もっと、このような低年齢の人間や細かい文字や数字が視認し難い老眼化した老齢の人間にとっても判り易く課金情報を表示する新しい形態が必要であると、本願発明者は考えた。
【０００８】
また、このような低年齢の人間に対して、親が携帯電話機を与えた時にパケット料や通話料が数十万円の請求が来て驚愕することもあり、このような問題を回避するためにプリペイド方式の携帯電話機を与えるようにしている。しかしながら、このようなプリペイド方式の携帯電話機は、一般の携帯電話機よりも割引サービスなどの特典を受けることができないことや、量が販売できないこともあり機能が一般の携帯電話機より低下してしまうなどの問題から、低年齢の人間の好奇心を満足できないなどの弊害がある。
【０００９】
この発明は、従来の課金情報の表示形態を、低年齢の人間や老眼で細かい文字などが見難い人間にとって課金情報を認識し易い新たな表示形態を提供することを目的としている。そして、その表示タイミングを従来のように終話時やキーボードへの使用者の入力に応じて課金情報の表示をさせるといった特定のタイミングではなく、自然に現時点の課金情報を視認できるような表示形態を提供することを目的としている。
【課題を解決するための手段】
【００１０】
以上のような問題点に鑑み、以下のような発明を提供する。
【００１１】
すなわち、（１）携帯電話機の電源をオンした状態において、発信を契機として通話時間をカウント、又はメールのデータ量をカウントするステップと、通話を終了又はメールの送信終了したことを契機として課金情報の累計を計算した累積課金情報をメモリに格納するステップと、当該累積課金情報に応じたキャラクタ画像表示データを、予め前記携帯電話機のメモリ内に記憶した複数のキャラクタ画像表示データから抽出するステップと、当該抽出したキャラクタ画像表示データを前記携帯電話機の表示手段に表示するステップとを含むことを特徴とする課金情報表示方法。
【００１２】
この方法の発明によれば、累積課金情報を従来のように文字や数字ではなく、キャラクタ画像表示によって、そのキャラクタを使用者が視認して感覚的に認識することができるようになる。例えば、卵のキャラクタが孵って段々成長して太ってしまうといった演出にすることによって、累積課金が多いのか少ないのかを瞬時に判断できる。予め、目標課金量を設定しておきこれとの比較と課金期間の時間割によって、演算により予め１日単位の使用料金を設定しておき、この設定された使用料金との比較によって前記キャラクタを太らせるとか痩せさせるといった演出にすることもできる。
【００１３】
（２）前記キャラクタ画像表示データは、人物又は人物以外の動物などを模した画像表示データであって、前記累積課金情報に応じたキャラクタ画像表示データは、予め記憶された、複数の前記キャラクタ画像表示データと前記累積課金情報との対応関係を定めたルックアップテーブルデータに基づいて決定され抽出されることを特徴とする（１）に記載の課金情報表示方法。
【００１４】
この方法の発明によれば、上述した（１）の発明と同様の効果を奏するとともに、ルックアップテーブルを元にして簡便に前記キャラクタ画像データの抽出を行うことができる。
【００１５】
（３）  前記複数のキャラクタ画像表示データは、同一の人物又は人物以外の動物などを模した同一の容姿で色の異なるものであることを特徴とする（１）に記載の課金情報表示方法。
【００１６】
この方法の発明によれば、「予め前記携帯電話機のメモリ内に記憶した複数のキャラクタ画像表示データから抽出するステップ」を当該キャラクタ画像の形データを共通のものとして色づけを行うカラーパレットを切り替えるといった色づけを異ならしめることによって、複数のキャラクタ画像表示データの一部を共有データとして使用できるため、携帯電話機のメモリ容量を大きくすることによるコスト高を回避することができるとともに、キャラクタ画像表示データの色付けを青色から黄色、そして赤色に変化させることによって、信号機のように累積課金情報の表示を使用者に視認し易くして表示することが可能となる。
【００１７】
（４）  上記（１）乃至（３）に記載の何れかに記載の課金情報表示方法を実行するためのサーバであって、前記携帯電話機の累積課金情報を記憶するメモリを備え、前記携帯電話機からの通話時間又は発信メールデータ量の受信に応じて前記メモリ内に記憶された累積課金情報を更新して、前記携帯電話機に対して更新された累積課金情報を送信することを特徴とするサーバ。
【００１８】
この発明によれば、上述した（１）〜（３）の発明と同様の効果を奏するサーバを提供することができる。
【００１９】
（５）  携帯電話機から通話時間又はメールのデータ量を受信する送受信部と、送受信部で受信した通話時間又はメールのデータ量に基づいて、発信先の前記携帯電話機の料金体系に応じた課金演算プログラムを割当てて、当該課金演算プログラムを実行させて累積課金情報を生成する制御手段とを備え、当該制御手段によって実行された演算結果としての累積課金情報を、前記送受信部を介して前記携帯電話機に送信し、前記携帯電話機の表示部に対して、人物又は人物以外の動物などを模したキャラクタ画像表示に代替して表示させることを特徴とするサーバ。
【００２０】
この発明によれば、携帯電話機の電話番号などから発信先の携帯電話機を特定し、この特定した携帯電話機に応じた料金体系の課金演算プログラムを割り当てて、特定の携帯電話機の使用者ごとに課金情報を変更するようにしているから、煩雑化している携帯電話機の料金体系に応じての課金情報を生成することができる。
【００２１】
（６）  発信を契機として通話時間をカウント又はメールのデータ量をカウントする機能と、当該カウントした通話時間又はメールのデータ量を課金演算可能なサーバに送信する機能と、当該サーバから累積課金情報を受信する機能と、受信した累積課金情報に応じたキャラクタ画像表示データを抽出又は生成して表示する機能とを備えたコンピュータで実行可能なプログラム。
【００２２】
この発明によれば、（１）の発明と同様の効果を奏し得るプログラムを携帯電話機にダウンロードなどによってインストールすることができる。
【発明の効果】
【００２３】
この発明によれば、従来のように文字や数字で課金情報を表示するのではなく、キャラクタ画像を課金情報に応じて変化させることによって、携帯電話機の課金情報を視覚で感覚的に認識させることが可能となる。
【発明を実施するための最良の形態】
【００２４】
以下、図に沿って、この発明を適用した一実施の形態について説明する。
【実施例１】
【００２５】
図１に示すのは、この発明を適用するシステム構成図である。
【００２６】
図１において、１はサービス提供サーバであり、当該サービス提供サーバ１は、インターネット網１０及び基地局１１を介して携帯電話機２０とデータの送受信可能なように構成されている。
【００２７】
前記携帯電話機２０は、他の携帯電話機２０との間で、前記基地局１１を介して通話や
メールの交換が可能であり、且つ、基地局１１を介して接続可能な広域通信網としてのインターネット網を通じて、当該インターネット網に接続されているサーバに対して接続可能に構成されている。より具体的には、前記サービス提供サーバ１内には、内部の記憶手段（内部メモリ、又は、内部ハードディスクなど）に予め記憶された複数の料金体系に適用可能な課金演算プログラムを具備し、この課金演算プログラムに基づいて累積課金情報更新処理を実行し、当該更新処理された課金情報を携帯電話機２０に送信して、当該携帯電話機２０の表示部２２に表示させるようにしている。
【００２８】
前記課金演算プログラムは、携帯電話機２０側のメモリに格納しておく方式をとることも可能であるが、携帯電話機２０の料金体系が煩雑になっており、且つ、期間限定で料金特典など様々なサービスをキャリアが提供する状況では、サーバ１側のメモリ（データベース）に複雑な料金体系に応じた前記課金演算プログラムを格納することが更新の手間などに鑑みて好ましいものである。勿論、面倒でも、この課金演算プログラムを一々サーバ１のメモリからダウンロードさせることによって頻繁に更新することによって、適正な料金体系に応じた演算プログラムとすることも可能である。
【００２９】
図２に示すのは、前記携帯電話機２０のハード構成図であり、この携帯電話機２０は、制御手段２１を含んでおり、当該制御手段２１には、累積課金情報に応じたキャラクタ画像表示データが表示可能な表示部２２と、アンテナなどの送受信部２３と、電話番号や電子メールの文字入力を前記携帯電話機２０の使用者が行うための入力手段２４と、システムプログラムなどが予め記憶されたＲＯＭ２５と、サーバ１から受信した累積課金情報に応じて抽出される複数の画像表示データや、当該複数の画像表示データと前記累積課金情報とを関連付けるルックアップテーブルデータを記憶した随時読取書込み可能なメモリ２７と、着信又は発信した他の携帯電話機や常設電話などの電話番号などを記憶し、前記記憶した抽選ゲームプログラムや電話番号を前記使用者の入力手段２４の操作によって記憶又は消去することが可能な記憶手段としてのＲＡＭとが接続されている。
【００３０】
メモリ２７には、現時点の累積課金情報や複数の画像表示データが記憶されており、この画像表示データは、読取手段２８によって外部記憶媒体としてのＩＣカード２９から随時データを読み取ることによって更新変更させることができるようにしている。前記画像表示データとしては、この実施例１では、人物又は人物以外の動物などを模した夫々容姿の異なる種類のキャラクタ画像表示データ群を用意しており、各々のキャラクタ画像表示データ群には、痩せた状態から太った状態の同じキャラクタで複数のキャラクタ画像表示データを用意している。そして、前記ルックアップテーブルで前記累積課金情報とキャラクタ画像表示データとが関連付けられており、前記累積課金情報の課金料金が高額になればなるほど、太ったキャラクタ画像表示データが抽出されて携帯電話機２０の表示部２２に表示されることになる。そして、この抽出されたキャラクタ画像表示データは、制御手段２１の制御によって待ち受け画像として更新して使用するようにセットされる。
【００３１】
上述したようにキャラクタを累積課金情報に応じて太ったキャラクタを抽出し表示部２２に表示するようにしても良いが、同じキャラクタで顔の色などの色彩を累積課金情報の変化に応じて変更するように制御手段２１で制御するようにして、例えば、当社は青表示したものを黄色から赤色へと漸次累積課金情報に応じて変化するようにして、課金情報を視覚的に携帯電話機２０の使用者に認識させることもできる。この場合、メモリに複数種類のカラーパレットを用意しておき、描画の際の色づけ処理に異なるカラーパレットを制御手段２１が利用してキャラクタの表示色を変化させるように構成することもできる。
【００３２】
また、前記累積課金情報に応じて、制御手段２１がメモリ２７に記憶されたルックアップテーブルに基づいて抽出されたキャラクタ画像表示データは、携帯電話機２０の待受け画像として使用されるようにしているから、使用者は常に使用料金を視覚認識してその使用を使用者の制限したい範囲に抑制させることができるようになる。
【００３３】
さらに、この実施の形態の実施例１では、キャラクタ画像表示データそのものを複数持つように構成したが、このような構成に限らず、例えば、デジタルカメラで撮影した画像を一旦、ＩＣカード２９に記憶し読取手段２８で読み取りメモリ２７に格納する一方、この格納した画像データに対して複数の色彩で変換して表示するための複数のカラーパレットデータを前記複数のキャラクタ画像表示データとしてメモリ２７に記憶しておき、このカラーパレットを累積課金情報に応じて切替えて表示させることによって、オリジナリティのある累積課金情報として表示することが可能となる。このようなオリジナリティのある画像とすることによって、他人に見られてもその使用者にしか意味が判らないものにすることもできるし、累積課金情報に応じたキャラクタ画像表示データを待ち受け画像として利用した場合であっても、その待ち受け画面としてのオリジナリティ性を損なわないようにすることが可能となるのである。
【００３４】
そして、メモリ２７には、発信を契機として通話時間をカウント又はメールのデータ量をカウントする機能と、当該カウントした通話時間又はメールのデータ量を課金演算可能なサーバ１に送信する機能と、当該サーバ１から累積課金情報を受信する機能と、受信した累積課金情報に応じたキャラクタ画像表示データを抽出又は生成して表示する機能とをＣＰＵを具備した制御手段２１で実行可能なプログラムを格納記憶している。このプログラムは、携帯電話機２０にプレインストールされていない場合には、サーバ１のメモリ４に予め用意された前記プログラムをダウンロードして使用するようにしても良い。
【００３５】
また、制御手段２１には、タイマ２６が接続されており、このタイマ２６は、携帯電話機の電源をオンにした状態において、前記制御手段２１の制御の下に、発信を契機として通話時間をカウント、又はメールのデータ量をカウントする機能を有する。そして、このようにカウントした課金情報を生成するための通話時間又はメールのデータ量を累積課金情報を演算によって生成するために累積課金情報演算元データとしてサーバ１に送信し、この累積課金情報演算元データに基づいて、サーバ１の制御手段２が課金演算プログラムを実行することによって課金情報を演算するとともに過去の累積課金情報と加算演算する。そして、この加算演算によって生成された累積課金情報を携帯電話機２０に送信してメモリ２７に格納させるとともに、各々の携帯電話機２０のＩＤコードである電話番号に関連付けて前記累積課金情報をメモリ４のデータベースに記憶するようにしている。
【００３６】
前記表示部２２としては、省電の目的から一般的に携帯電話機２０に使用される液晶表示装置を採用している。また、前記入力手段２４としては、ボタンの表面にアルファベットや数字が標印されメールを作成したり、会話をしたい相手も電話番号を入力するためのキーボタンスイッチと、各種の機能を選択するための多方向スイッチを設けている。
【００３７】
図３に示すのは、前記サーバ１のハードブロック図である。このサーバ１は、制御手段２と、当該制御手段２には、前記インターネット網１０と接続し電子データの送受信を行うための通信インターフェースとしての送受信部３と、携帯電話機２０にダウンロードさせることも可能な、複数の課金演算プログラムを記憶したデータベースと、ダウンロードせずに累積課金情報を受信する使用形態を選択した携帯電話機の使用者ごとに、その時点での累積課金情報を記憶したデータベースとからなるメモリ４と、これらのデータベースから適宜のプログラムやデータを抽出する機能と、携帯電話機２０からのデータを受信するとともに、前記課金演算プログラムに応じた累積課金情報を携帯電話機２０へ送信する機能とをコンピュータである制御手段２で実行可能なシステムプログラムが記憶されたＲＯＭ５とから構成されている。
【００３８】
次に、図４及び図５に基づいて、この実施の形態における実施例１の課金情報表示方法に基づく処理の流れを説明する。
【００３９】
図４の左側が携帯電話機２０での処理フロー、右側がサーバ１内での処理フローを表示している。まず、携帯電話機２０は、図２に図示していないが内部バッテリーを備えており、この内部バッテリによって駆動するものである。
【００４０】
携帯電話機２０の図示しない電源をオンしてスタートする。携帯電話機２０の制御手段２１は、入力手段２４による発信先の電話番号又はメールの発信入力を検出して（ステップＳ１）、基地局１１からの発信許可と通話チャンネルの通知を受けて発信状態となる。この時の入力手段２４により入力された電話番号は、メモリ２７に記憶される。
【００４１】
制御手段２１は、ステップＳ１で発信があったことを検知すると、タイマ２６を発動させて通話時間のカウントを開始するためタイマーセット（タイマのゼロリセット）を実行する（ステップＳ３）。
【００４２】
そして、制御手段２１は、前記発信状態となり発信先である携帯電話機２０又は電話機からの応答があったことを検知すると、通話状態に移行して（ステップＳ４）タイマ２６による通話時間のカウントを開始する。
【００４３】
次に、入力手段２４による終話入力を検知するか、或いは、中継の基地局１１を介して発信先の携帯電話機２０又は電話機との通話が遮断されたことを制御手段２１が検知すると、終話状態に移行して、タイマ２６のカウントを終了して通話時間の電子データをメモリ２７に記憶する（ステップＳ５）。
【００４４】
このメモリ２７に記憶した通話時間の電子データは、制御手段２１の制御によって送受信部２３を介してサーバ１に送信される（ステップＳ６）。この送信される通話時間に関わる電子データは、周知の圧縮プログラムによって圧縮して送信するようにしても良い。
【００４５】
サーバ１の制御手段２が通話時間に関わる電子データを受信したことを検知すると（ステップＳ７：ＹＥＳ）、受信した通話時間に関わる電子データをメモリ４内のデータベースに所定の電話番号に関連付けて制御手段２が格納記憶する（ステップＳ８）。
【００４６】
格納記憶された通話時間に関わる電子データに基づいて、その電子データを送信した携帯電話機２０の過去の累積課金情報を参照しつつ、その携帯電話機２０の料金体系に応じた課金演算プログラムを制御手段２が選択及び実行させて累積課金情報を生成する。メモリ４内のデータベースには、複雑化した携帯電話機２０の複数種類の料金体系に応じた課金演算プログラムを記憶しており、この複数の課金演算プログラムの中から発信元である携帯電話機２０の電話番号から、その携帯電話機２０に応じた料金体系の課金演算プログラムを割当てる処理を制御手段２が実行するのである。前記生成された累積課金情報に応じて、メモリ４内の発信元の携帯電話機２０に関連して記憶されたデータベースに格納し更新処理を制御手段２が実行する（ステップＳ９）。
【００４７】
メモリ４に制御手段２が記憶更新した累積課金情報に関連した電子データを、発信元の携帯電話機２０に制御手段２が送受信部３を介して送信する（ステップＳ１０）。
【００４８】
携帯電話機２０の制御手段２１が更新した累積課金情報の電子データを受信したことを検知すると（ステップＳ１１）、制御手段２１はメモリ２７に受信した累積課金情報の電子データを格納記憶する（ステップＳ１２）。
【００４９】
そして、制御手段２１は、格納した累積課金情報の電子データに基づいてメモリ２７に予め記憶されたルックアップテーブルデータを参照し、前記累積課金情報に応じたキャラクタ画像表示データを予めメモリ２７に記憶された複数のキャラクタ画像表示データから抽出する（ステップＳ１３）。
【００５０】
この抽出したキャラクタ画像表示データを、制御手段２１が表示部２２に表示させるとともに、待ち受け画像としてセットする（ステップＳ１４）。以上の処理を終えると制御手段２１は、次の発信検知があるまで発信待ち状態に移行する（ステップＳ１５）。なお、メモリ２７に格納された前記複数のキャラクタ画像表示データは、サーバ１のメモリ４のデータベースに予め記憶格納された様々な種類のキャラクタ画像表示データを適宜にデウンロードしてオリジナリティのある待ち受け画像、兼、課金情報表示用データを更新することが可能なようにしている。
【００５１】
以上が通話の場合の処理について説明したが、図４のステップＳ１に戻ってメールの送信処理について説明する。
【００５２】
ステップＳ１で発信が検知されなかった場合には（ステップＳ１：ＮＯ）、制御手段２１は入力手段２４によるメールの送信が検知されたかどうかを判定する（ステップＳ２）。メールの送信があったことを制御手段２１が検知すると、メールの送信状態に移行する（ステップＳ４−２）とともに、メモリ２７のメールデータ量の演算プログラムによる送信データのデータ量の演算を実行し、制御手段２１がメールの送信を完了したことを検知したことを契機として（ステップＳ５−２）、制御手段２１は前記演算プログラムに基づいて算出されたメールデータ量を送受信部２３を介してサーバ１に送信する（ステップＳ６）。以上のように、サーバ１は、携帯電話機２０から通話時間又はメールのデータ量を受信する送受信部３と、送受信部３で受信した通話時間又はメールのデータ量に基づいて、発信先の前記携帯電話機２０の料金体系に応じた課金演算プログラムを割当てて、当該課金演算プログラムを実行させて累積課金情報を生成する制御手段２とを備え、当該制御手段２によって実行された演算結果としての累積課金情報を、前記送受信部３を介して前記携帯電話機２０に送信し、前記携帯電話機２０の表示部２２に対して、累積課金情報を文字や数字ではなく、人物又は人物以外の動物などを模したキャラクタ画像表示に代替して表示させることができる。
【実施例２】
【００５３】
実施例１では、累積課金情報に応じたキャラクタ画像表示データを抽出する場合、同じキャラクタでのスリム画像や太った画像の複数のキャラクタ画像表示データを用意しておいて、この複数のキャラクタ画像表示データから一のキャラクタ画像表示データを抽出するようにしたが、これと併用して前述したようなカラーパレットの切り替えを行うことによって、累積課金情報を携帯電話機２０の使用者に告知するための画像と、当該使用者が自ら設定した金額に応じた現時点での累積課金情報の状況とを２パラメータで表示するようにすることができる。
【００５４】
すなわち、携帯電話機２０のメモリ２７には、予め目標課金額設定プログラムを用意しておき。入力手段２４の入力操作に応じて当該目標課金額設定プログラムを制御手段２１が起動させて、表示部２２に表示される目標課金額設定案内画面を視認しつつ目標設定を実行すると、図５のステップＳ１３において、画像表示データの抽出処理を実行するとともに、サーバ１から受信した更新累積課金情報と前記目標課金額とを制御手段２１が比較して何％だけ目標課金額に近づいているかを、メモリ２７に格納された目標課金額判定プログラムにより制御手段２１が判定して表示部２２に表示するためのキャラクタ画像表示データのカラーパレットを適宜変更処理するようにしている。
【産業上の利用可能性】
【００５５】
この発明は、携帯電話機の課金情報を当該携帯電話機の表示部に表示させて、その携帯電話機の使用者に視覚的に課金情報を認識させることに利用することができる。従来は文字又は数字で使用者に課金情報を表示していたものを、人物や人物以外の動物などを模したキャラクタで表示させて、演算された累積課金情報に応じてこのキャラクタを変化させることによって、低年齢の使用者や老眼などの使用者にとっても苦を少なく視認できるようにすることができる。特に、この累積課金情報と関連したキャラクタを待ち受け画像として利用することによって、使用者は受動的に累積課金情報を得ることができるので、従来のように、累積課金情報をキャリアのサーバにアクセスして見に行くなどの面倒な作業を行う必要もないといった効果がある。
【図面の簡単な説明】
【００５６】
【図１】この発明に係るシステム構成図である。
【図２】図１に示す携帯電話機のハードブロック図である。
【図３】図１に示すサーバのハードブロック図である。
【図４】課金情報表示方法に基づく処理の流れを説明するためのフロー図である。
【図５】課金情報表示方法に基づく処理の流れを説明するためのフロー図である。
【図６】従来の課金情報の表示形態を示す説明図である。
【符号の説明】
【００５７】
１        サーバ
３        送受信部
４        メモリ
１０      広域通信回線網
２０      携帯電話機
２２      表示部
２４      入力手段
２６      タイマ
２７      メモリ
【図１】
2005159761.tif 000003
【図２】
2005159761.tif 000004
【図３】
2005159761.tif 000005
【図４】
2005159761.tif 000006
【図５】
2005159761.tif 000007
【図６】
2005159761.tif 000008